(57)【特許請求の範囲】
【請求項１】
主ベルト（２）に補助ベルト（３）を取り付けるためのベルト取付構造であって、前記主ベルト（２）の任意の位置に移動可能に取り付けられた補助ベルト取付具（４）が、前記補助ベルト（３）を取付けるための取付用部材（１４）と、前記主ベルト（２）に固定される固定用部材（１５）とを備えてなり、前記主ベルト（２）の長手方向に対して平面視垂直方向に形成された掛止部（１５ｂ）を有する平面視略日の字状の固定用部材（１５）が、該固定用部材（１５）と略同一の外形を有する環状の取付用部材（１４）の上面側に重ね合わされることにより前記補助ベルト取付具（４）が形成されてなり、且つ前記主ベルト（２）が、前記補助ベルト取付具（４）の下面側から前記掛止部（１５ｂ）の上面側を通って再度前記補助ベルト取付具（４）の下面側へ挿通されてなることを特徴とするベルト取付構造。
【請求項２】
前記取付用部材（１４）が、該取付用部材（１４）に取り付けられた補助ベルト（３）を前記主ベルト（２）の長手方向に対して平面視反対側に移動させるべく回動可能に構成されてなる請求項１記載のベルト取付構造。
【請求項３】
釣竿を収容可能なケース本体（１）に肩掛けベルト（５）が設けられ、且つ前記ケース本体（１）と肩掛けベルト（５）との間に携帯者に巻装可能な紐状体（１０）が設けられてなる釣竿ケースであって、前記肩掛けベルト（５）の任意の位置に移動可能に取り付けられた紐状体取付具（１１）が、前記紐状体（１０）を取り付けるための取付用部材（１４）と、前記肩掛けベルト（５）に固定される固定用部材（１５）とを備えてなることを特徴とする釣竿ケース。
【請求項４】
前記肩掛けベルト（５）の長手方向に対して平面視垂直方向に形成された掛止部（１５ｂ）を有する平面視略日の字状の固定用部材（１５）が、該固定用部材（１５）と略同一の外形を有する環状の取付用部材（１４）の上面側に重ね合わされることにより前記紐状体取付具（１１）が形成されてなり、且つ前記肩掛けベルト（５）が、前記紐状体取付具（１１）の下面側から前記掛止部（１５ｂ）の上面側を通って再度前記紐状体取付具（１１）の下面側へ挿通されてなる請求項３記載の釣竿ケース。
【発明の詳細な説明】
【０００１】
【発明の属する技術分野】
本発明は、主ベルトに補助ベルトを取り付けるためのベルト取付構造、及び該ベルト取付構造を備えた釣竿ケースに関するものである。
【０００２】
【従来の技術】
従来、図６に示すような、釣竿を収容可能なケース本体１’に肩に掛けるための肩掛けベルト５’が取り付けられた釣竿ケースＡが使用されている。
【０００３】
かかる釣竿ケースＡにあっては、釣竿をケース本体１’に収納した後、肩掛けベルト５’とケース本体１’との間に片腕を通し、肩掛けベルト５’を肩に掛けることで、釣竿ケースＡを担いで目的地まで携帯することができるものである。
【０００４】
【発明が解決しようとする課題】
しかしながら、上記釣竿ケースＡにあっては、肩掛けベルト５’が携帯者の肩に掛かっているのみであるために、振動等によって肩掛けベルト５’が肩からずれ落ち易く、従って、携帯者は携帯中に何度も釣竿ケースＡを担ぎ直すという非常に煩雑なことを行なわなければならなかった。
【０００５】
また、上記釣竿ケースＡにあっては、釣竿を収納できるようにケース本体１’が長尺に形成されているため、ケース本体１’が揺れやすくなっており、携帯中のケース本体１’の揺れが携帯者に不快感を与えるという問題があった。
【０００６】
しかも、上記ケース本体１’の揺れにより、さらに肩掛けベルト５’が肩からずれ落ち易くなるという問題もあった。
【０００７】
かかる問題を改良すべく、図７に示すように、携帯者の身体に巻き付けるための紐状体１０’がケース本体１’と肩掛けベルト５’との間に設けられた釣竿ケースＢが考えられ、該釣竿ケースＢにあっては、図５（イ）に示すように、前記紐状体１０’の一端部が環状に形成され、該環状部分が肩掛けベルト５’に外挿されることにより補助ベルトとしての前記紐状体１０’が主ベルトとしての前記肩掛けベルト５’に着脱自在に取り付けられるというベルト取付構造を有してなる。
【０００８】
しかしながら、上記ベルト取付構造にあっては、紐状体１０’が肩掛けベルト５’の長手方向に滑るおそれがあるため、該紐状体１０’は、紐状体１０’の移動範囲を規制すべく肩掛けベルト５’に設けられた保持部１２ａ’に係止される必要がある。
【０００９】
特に、携帯者の体形や好みに応じて広範囲で紐状体１０’の位置を変更する必要がある場合には、例えば図４（ロ）に示すように、前記紐状体１０’の移動を規制可能な保持部１２ａ’を複数設け、所望の保持部１２ａ’に前記紐状体１０’を取付けることにより紐状体１０’位置を変更させなければならない。
【００１０】
従って、前記紐状体１０’位置を変更するためには、その都度一旦紐状体１０’を肩掛けベルト５’から取外し、再度所望の位置の保持部１２ａ’に取り付けるという作業を行なわなければならず、また、前記紐状体１０’を取り外した際に該紐状体１０’を手離して肩掛けベルト５’への取付け端を見失うことも考えられ、煩雑になるおそれがある。
【００１１】
そこで、本発明は上記問題点に鑑み、主ベルトに取り付けられた補助ベルトを前記主ベルトの任意の位置に移動且つ固定可能なベルト取付構造、及び紐状体を肩掛けベルトの任意の位置に移動且つ固定可能に構成することにより、携帯者が容易且つ迅速に良好な担ぎ心地を得ることができる釣竿ケースを提供することを課題とする。
【００１２】
【課題を解決するための手段】
本発明は上記課題を解決するためになされたもので、本発明に係るベルト取付構造は、主ベルト２に補助ベルト３を取り付けるためのベルト取付構造であって、前記主ベルト２の任意の位置に移動可能に取り付けられた補助ベルト取付具４が、前記補助ベルト３を取付けるための取付用部材１４と、前記主ベルト２に固定される固定用部材１５とを備えてなり、前記主ベルト２の長手方向に対して平面視垂直方向に形成された掛止部１５ｂを有する平面視略日の字状の固定用部材１５が、該固定用部材１５と略同一の外形を有する環状の取付用部材１４の上面側に重ね合わされることにより前記補助ベルト取付具４が形成されてなり、且つ前記主ベルト２が、前記補助ベルト取付具４の下面側から前記掛止部１５ｂの上面側を通って再度前記補助ベルト取付具４の下面側へ挿通されてなることを特徴とする。
【００１３】
本発明のベルト取付構造は、上記構成からなるため、取付用部材１４に補助ベルト３を取付けた補助ベルト取付具４を主ベルト２の任意の位置に移動させ、且つ固定用部材１５により固定することにより、補助ベルト３を主ベルト２に取り付けたまま主ベルト２の任意の位置に移動させ、且つ保持することができる。また、前記主ベルト２の長手方向に対して平面視垂直方向に形成された掛止部１５ｂを有する平面視略日の字状の固定用部材１５が、該固定用部材１５と略同一の外形を有する環状の取付用部材１４の上面側に重ね合わされることにより前記補助ベルト取付具４が形成されてなり、且つ前記主ベルト２が、前記補助ベルト取付具４の下面側から前記掛止部１５ｂの上面側を通って再度前記補助ベルト取付具４の下面側へ挿通されてなれば、主ベルト２が補助ベルト取付具４の両側から長手方向に引っ張られることにより、掛止部１５ｂに掛止された主ベルト２が固定用部材１５を取付用部材１４に押圧し、且つ取付用部材１４が主ベルト２によって下面側から固定用部材１５側へ押されるため、取付用部材１４は固定用部材１５と主ベルト２に強く挟持され、補助ベルト取付具４が主ベルト２に確実に保持される。また、固定用部材１５を取付用部材１４の上方に離間させれば、取付用部材１４に対する固定用部材１５と主ベルト２とによる挟持力が解除され、前記取付用部材１４を、該取付用部材１４を構成する環により囲まれた面に対して垂直方向を軸として容易に回動させることができる。更に、前記掛止部１５ｂへの掛止を解除して補助ベルト取付具４の上方にループを形成すべく前記補助ベルト取付具４のいずれか一方側の主ベルト２を前記補助ベルト取付具４の上方側へ押し込み、且つ前記補助ベルト取付具４の他方側の主ベルト２を引き出して再度主ベルト２を掛止部１５ｂに掛止させれば、主ベルト２に対する前記補助ベルト取付具４の取付位置を容易に移動させることができる。
【００１４】
特に、請求項２の如く、前記取付用部材１４が、該取付用部材１４に取り付けられた補助ベルト３を前記主ベルト２の長手方向に対して平面視反対側に移動させるべく回動可能に構成されてなれば、前記取付用部材１４を回動させることにより、前記補助ベルト３を主ベルト２に取付けたまま必要に応じて前記補助ベルト３を前記主ベルト２の長手方向に対して平面視反対側に移動させることができる。
【００１８】
また、本発明に係る釣竿ケースは、釣竿を収容可能なケース本体１に肩掛けベルト５が設けられ、且つ前記ケース本体１と肩掛けベルト５との間に携帯者に巻装可能な紐状体１０が設けられてなる釣竿ケースであって、前記肩掛けベルト５の任意の位置に移動可能に取り付けられた紐状体取付具１１が、前記紐状体１０を取り付けるための取付用部材１４と、前記肩掛けベルト５に固定される固定用部材１５とを備えてなることを特徴とする．
【００１９】
本発明の釣竿ケースは、上記構成からなるため、携帯者が肩掛けベルト５を肩に掛けるとともに紐状体１０を身体に巻装することにより、紐状体１０が取り付けられたケース本体１及び肩掛けベルト５に、肩掛けベルト５がずれ落ちようとする方向と反対方向の力が働き、ケース本体１と肩掛けベルト５の動きが規制される。
【００２０】
しかも、取付用部材１４に紐状体１０を取付けた紐状体取付具４を肩掛けベルト５の任意の位置に移動させ、且つ固定用部材１５により固定することにより、紐状体１０を肩掛けベルト５に取り付けたまま肩掛けベルト５の任意の位置に移動させ、且つ保持することができ、携帯者の体形や好みに応じて前記紐状体１０を肩掛けベルト５の任意の位置に移動させ、且つ保持することができる。
【００２１】
特に、請求項４の如く、前記肩掛けベルト５の長手方向に対して平面視垂直方向に形成された掛止部１５ｂを有する平面視略日の字状の固定用部材１５が、該固定用部材１５と略同一の外形を有する環状の取付用部材１４の上面側に重ね合わされることにより前記紐状体取付具１１が形成されてなり、且つ前記肩掛けベルト５が、前記紐状体取付具１１の下面側から前記掛止部１５ｂの上面側を通って再度前記紐状体取付具１１の下面側へ挿通されてなれば、肩掛けベルト５が紐状体取付具４の両側から長手方向に引っ張られることにより、掛止部１５ｂに掛止された肩掛けベルト５が固定用部材５を取付用部材４に押圧し、且つ取付用部材１４が 肩掛けベルト５によって下面側から固定用部材１５側へ押されるため、取付用部材１４は固定用部材１５と肩掛けベルト５に強く挟持され、紐状体取付具１１が肩掛けベルト５に確実に保持される。
【００２２】
また、固定用部材１５を取付用部材１４の上方に離間させれば、取付用部材１４に対する固定用部材１５と肩掛けベルト５とによる挟持力が解除され、前記取付用部材１４を、該取付用部材１４を構成する環により囲まれた面に対して垂直方向を軸として容易に回動させることができ、前記取付用部材１４にに取り付けられた紐状体１０を前記肩掛けベルト５の長手方向に対して平面視反対側に移動させることができるため、携帯者が釣竿ケースを右肩に掛ける場合と左肩に掛ける場合等、使用形態に応じて、前記紐状体１０を一旦肩掛けベルト５から取外すことなく紐状体１０の取付方向を変更することができる。
【００２３】
更に、前記肩掛けベルト掛止部６への掛止を解除して紐状体取付具３の上方にループを形成すべく前記紐状体取付具３のいずれか一方側の肩掛けベルトを前記紐状体取付具３の上方側へ押し込み、且つ前記紐状体取付具３の他方側の肩掛けベルトを引き出して再度肩掛けベルトを肩掛けベルト掛止部６に掛止させれば、肩掛けベルトに対する前記紐状体取付具３の取付位置を容易に移動させることができる。
【００２４】
【発明の実施の形態】
以下、本発明の実施の形態を、まず、ベルト取付構造について図面を参酌しつつ説明する。
【００２５】
本実施形態のベルト取付構造は、主ベルト２に補助ベルト３を取り付けるためのベルト取付構造であって、図１（イ）に示すような、平面視略長方形状の環状に形成された固定部１５ａと、該固定部１５ａの対向する辺の中央部間を結んで架設された掛止部１５ｂとからなる平面視略日の字状の固定用部材１５が、図１（ロ）に示すような、前記固定用部材１５と略同一の外形を有する環状の取付用部材１４の上面側に重ね合わされることにより形成される補助ベルト取付具３を備えてなる。
【００２６】
前記補助ベルト取付具４は、図１（ハ）（ニ）に示すように、前記掛止部１５ｂが主ベルト２の長手方向に対して垂直になるよう位置づけられ、且つ前記主ベルト２が前記補助ベルト取付具４の下面側から前記掛止部１５ｂの上面側を通って再度前記補助ベルト取付具４の下面側へ挿通されることにより、主ベルト２の任意の位置に取り付けられている。
【００２７】
また、前記取付用部材１４の一周辺には、補助ベルト取付具４への取付け端が環状に形成された補助ベルト３の該環状部分が外挿されることにより補助ベルト３が取り付けられている。尚、前記環状部分は、取付用部材１４の一周辺の外形と略同一の内径に形成されることにより、取付用部材１４に略隙間なく取り付けられ、取付用ベルト１４上を移動しにくく構成されている。
【００２８】
本実施形態のベルト取付構造は、上記構成からなるため、主ベルト２が補助ベルト取付具４の両側から長手方向に引っ張られることにより、掛止部１５ｂに掛止された主ベルト２が固定用部材１５を取付用部材１４に押圧し、且つ取付用部材１４が主ベルト２によって下面側から固定用部材１５側へ押されるため、取付用部材１４は固定用部材１５と主ベルト２に強く挟持されることにより、補助ベルト取付具４が主ベルト２に確実に保持され、結果、補助ベルト３が主ベルト２への取付け位置に固定され、ずれるおそれがない。
【００２９】
即ち、前記取付用部材１４が、補助ベルト３を主ベルト２に取り付ける機能を果たし、且つ前記固定用部材１５が、補助ベルト３を主ベルト２に固定する機能を果たすものである。
【００３０】
また、図２に示すように、固定用部材５を取付用部材４の上方に離間させれば、取付用部材４に対する固定用部材５と主ベルト１とによる挟持力が解除され、前記取付用部材４を、該取付用部材４を構成する環により囲まれた面に対して垂直方向を軸として回動させ、補助ベルトの取付け方向を容易に変更することができるため、補助ベルト３を補助ベルト取付具４から取り外すことなく迅速に補助ベルト３の取付け方向を変更できる。
【００３１】
更に、前記主ベルト掛止部６への掛止を解除して補助ベルト取付具３の上方にループを形成すべく前記補助ベルト取付具３のいずれか一方側の主ベルト１を前記補助ベルト取付具３の上方側へ押し込み、且つ前記補助ベルト取付具３の他方側の主ベルト１を引き出して再度主ベルト１を主ベルト掛止部６に掛止させれば、主ベルト１に対する前記補助ベルト取付具３の取付位置を容易に移動させることができるため、補助ベルト３を補助ベルト取付具４から取り外すことなく迅速に主ベルト２の任意の位置に移動させることができる。
【００３２】
また、前記取付用部材１４及び固定用部材１５が簡単な構成からなるため、安価で大量生産可能であり、製造コストがかからないという利点を有する。
【００３３】
次に、上記ベルト取付構造を備えた釣竿ケースについて説明すると、本実施形態の釣竿ケースは、図３に示すように、釣竿を収容可能なケース本体１に肩掛けベルト５が設けられ、且つ前記ケース本体１と肩掛けベルト５との間に携帯者に巻装可能な紐状体１０が設けられている。
【００３４】
前記肩掛けベルト５の任意の位置には、前記紐状体１０を取り付けるための紐状体取付具１１が取り付けられ、該紐状体取付具１１は、前記肩掛けベルト５の長手方向に対して平面視垂直方向に形成された掛止部１５ａを有する平面視略日の字状の固定用部材１５が、該固定用部材１５と略同一の外形を有する環状の取付用部材１４の上面側に重ね合わされることにより形成されている。
【００３５】
また、前記紐状体取付具１１は、肩掛けベルト５が前記紐状体取付具１１の下面側から前記掛止部１５ｂの上面側を通って再度前記紐状体取付具１１の下面側へ挿通されることにより、肩掛けベルト５の任意の位置に取り付けられている。
【００３６】
前記紐状体１０の一端は、環状に形成され、該環状部分が前記取付用部材１４の一周辺に外挿されることにより前記紐状体取付具１１に取り付けられている。尚、前記環状部分は、取付用部材１４の一周辺の外形と略同一の内径に形成されることにより、取付用部材１４に略隙間なく取り付けられ、取付用部材１４上を移動しにくく構成されている。
【００３７】
また、紐状体１０の他端は、釣竿ケース本体１の肩掛けベルト取付け面２０の長手方向の両側に設けられた一対の紐状体取付部２１ａ，２１ｂのうち一方の紐状体取付部２１ａに着脱自在に取り付けられている。
【００３８】
更に、前記紐状体１０は、釣竿ケースの携帯者が該紐状体１０を巻装する際に一旦分割できるように該紐状体の任意の位置に設けられた着脱部６を介して分割可能に構成され、且つ該紐状体１０には、該紐状体１０の長さを調節すべく調節具７ｂが設けられている。
【００３９】
また、前記肩掛けベルト５は、一端が前記ケース本体１に取り付けられ、且つ他端が前記ケース本体１に設けられたリング状の係止具８に挿通されて折り返された後、該肩掛けベルト５の長さを調節すべく設けられた調節具７ｂに固定されることにより長さ調節可能に構成されている。
【００４０】
本実施形態の釣竿ケースは、上記構成からなるため、図４に示すように、肩掛けベルト５を肩に掛けるとともに紐状体１０を身体に巻装すれば、肩掛けベルト５のずれ落ちが防止され、釣竿ケースの担ぎ直しが不要となること等により、携帯者が快適な担ぎ心地を得ることができる。
【００４１】
また、本実施形態の釣竿ケースは、紐状体取付具１１の固定用部材１５を浮かす（取付用部材１４から上方へ離間させる）ことにより前記取付用部材１４を回動させることができるため、携帯者が釣竿ケースを右肩に掛けるか左肩に掛けるかによって、紐状体１０を肩掛けベルト５の長手方向に対して平面視反対側から突出するよう取付方向を変更し、且つ紐状体１０の他端を他方の紐状体取付具２１ｂに取り付けることにより、紐状体１０を肩掛けベルト５の反対側に移動させることができ、結果、いずれの肩に掛ける場合にも、釣竿ケースを容易に携帯者の身体にフィットさせることができる。
【００４２】
更に、本実施形態の釣竿ケースは、前記紐状体取付具１１を、肩掛けベルト５の任意の位置に移動且つ固定可能であるため、紐状体１０の肩掛けベルト５への取付け位置を容易に変更でき、且つ紐状体１０を肩掛けベルト５に固定することができるため、携帯者の体形や好みに適合し、且つ安定した担ぎ心地を付与することができる。
【００４３】
しかも、前記紐状体１０の肩掛けベルト５への取付け方向の変更や取付け位置の変更は、紐状体１０を肩掛けベルト５から一旦取り外すことなく取り付けたまま行なうことができるため、作業が煩雑でなく、迅速に行なうことができる。また、紐状体１０の肩掛けベルト５への取付け端を見失うおそれ等もない。
【００４４】
また、前記肩掛けベルト５及び前記紐状体１０は、それぞれ調節具７ａ，７ｂにより長さ調節可能に構成されているため、携帯者はより一層快適な担ぎ心地を得ることができる。
【００４５】
尚、上記実施形態では、ベルト取付構造を釣竿ケースに採用した場合について説明したが、対象は釣竿ケースに限定されず、釣り用バッグやバッカン等、種々の釣り用具に採用可能である。
【００４６】
また、上記実施形態では、補助ベルト３（釣竿ケースにあっては紐状体１０）の主ベルト３（同、肩掛けベルト５）への取付け端が取付用部材１４上を移動しにくい構成にしてなったが、前記補助ベルト３（同、紐状体１０）の一端に形成される環を前記取付用部材１４に対して緩く形成してもよい。本実施形態によれば、前記取付用部材１４と前記固定用部材１５を離間させ、且つ補助ベルト３（同、紐状体１０）自体を取付用部材１４の周辺を滑らすことにより主ベルト２（同、肩掛けベルト５）の長手方向に対して平面視反対側に移動させることができる。但し、上記実施形態の如く、補助ベルト３（同、紐状体１０）を取付用部材１４上を移動しにくい状態に取付けることにより補助ベルト取付具４（同、紐状体取付具１１）に略固定してなれば、補助ベルト３（同、紐状体１０）が動くことによる不安定感を回避でき、特に、釣竿ケースにあっては、携帯時に紐状体１０が取付用部材１４上を移動するおそれがないため、携帯者が安定感を得ることができる。
【００４７】
更に、上記実施形態では、補助ベルト取付具４（釣竿ケースにあっては紐状体取付具１１）が、略日の字状の固定用部材１５と、該固定用部材１５と略同一の外形を有する環状の取付用部材１４とからなったが、固定用部材１５及び取付用部材１４の形状及び大きさは特に限定されず、外形が円形状の環に形成された固定用部材１５と、該固定用部材１５と略同一の外形を有する取付用部材１４により構成されてなるもの等も採用可能である。要は、固定用部材１５の上面側に取付用部材１４が平行に重ね合わされた際に、互いに相手の空隙部にを通過しないよう、ぞれぞれ外形が他方の内形（空隙部の外形）よりも大きく形成されていればよい。但し、上記実施形態の如く、補助ベルト取付具４（同、紐状体取付具１１）が略日の字状の固定用部材１５と、該固定用部材１５と略同一の外形（略矩形状）を有する環状の取付用部材１４とからなれば、該取付用部材１４の一周辺に取り付けられた補助ベルト３（同、紐状体１０）が、取付用部材１４上を他の周辺に向かって移動しにくく、特に釣竿ケースにあっては、携帯者が安定感を得ることができる。
【００４８】
【発明の効果】
以上のように、本発明のベルト取付構造によれば、主ベルトに取り付けられた補助ベルトを一旦取り外すことなく、主ベルトの任意の位置に移動させ、且つ固定することができる。また、主ベルトの長手方向に対して平面視垂直方向に形成された掛止部を有する平面視略日の字状の固定用部材が、該固定用部材と略同一の外形を有する環状の取付用部材の上面側に重ね合わされることにより前記補助ベルト取付具が形成されてなり、且つ主ベルトが、前記補助ベルト取付具の下面側から掛止部の上面側を通って再度補助ベルト取付具の下面側へ挿通されてなれば、取付用部材が固定用部材と主ベルトにより強く挟持されることにより補助ベルト取付具が主ベルトに保持される結果、補助ベルトを主ベルトにより一層確実に固定することができる。更に、固定用部材を取付用部材の上方に離間させて取付用部材を回動させることにより、補助ベルトの主ベルトへの取付け方向を、容易に変更することができる。また、主ベルトに対する補助ベルト取付具の取付位置を容易に移動させることができる結果、より一層容易に補助ベルトの主ベルトへの取付け位置を変更することができる。
【００４９】
特に、請求項２の如く、取付用部材が、該取付用部材に取り付けられた補助ベルトを主ベルトの長手方向に対して平面視反対側に移動させるべく回動可能に構成されてなれば、使用形態や目的に応じて補助ベルトの主ベルトへの取付け方向を、前記補助ベルトを一旦取り外すことなく変更することができる。
【００５３】
更に、本発明の釣竿ケースは、肩掛けベルトに取り付けられた紐状体を一旦取り外すことなく肩掛けベルトの任意の位置に移動させ、且つ固定することができるため、携帯者が容易且つ迅速に良好な担ぎ心地を得ることができる。
【００５４】
特に、請求項４の如く、肩掛けベルトの長手方向に対して平面視垂直方向に形成された掛止部を有する平面視略日の字状の固定用部材が、該固定用部材と略同一の外形を有する環状の取付用部材の上面側に重ね合わされることにより前記紐状体取付具が形成されてなり、且つ前記肩掛けベルトが、前記紐状体取付具の下面側から前記掛止部の上面側を通って再度前記紐状体取付具の下面側へ挿通されてなれば、一層確実に紐状体を肩掛けベルトに固定することができる結果、携帯者が安定した快適な担ぎ心地を得ることができる。
【００５５】
また、固定用部材を取付用部材の上方に離間させて前記取付用部材を回動させることにより、紐状体の肩掛けベルトに対する取付方向を変更することができるため、携帯者は、釣竿ケースを右肩にも左肩にも快適に担ぐことができ、しかも紐状体を肩掛けベルトに取り付けたまま取付方向の変更を行なうことができるため、作業が煩雑でない。
【００５６】
更に、肩掛けベルトに対する前記紐状体取付具の取付位置を容易に移動させ、ることができる結果、携帯者はより一層容易に快適な担ぎ心地を得ることができる。
【図面の簡単な説明】
【図１】（イ）は、本発明のベルト取付構造の一実施形態の固定用部材を示す斜視図で、（ロ）は、同実施形態の取付用部材を示す斜視図で、（ハ）は、同実施形態を示す斜視図で、（ニ）は、（ハ）のＰ−Ｐ線端面図。
【図２】同実施形態の使用状態を示す斜視図。
【図３】本発明の釣竿ケースの一実施形態を示す斜視図。
【図４】同実施形態の使用状態を示す斜視図。
【図５】（イ）は、従来のベルト取付構造の一例を示す斜視図で、（ロ）は、同例の使用状態を示す斜視図。
【図６】従来の釣竿ケースの一例を示す斜視図。
【図７】従来の釣竿ケースの他例を示す斜視図。
【符号の説明】
１─ケース本体          ２─主ベルト            ３─補助ベルト
４─補助ベルト取付具    ５─肩掛けベルト        １０─紐状体
１１─紐状体取付具      １４─取付用部材        １５─固定用部材
１５ｂ─掛止部
【図１】
0003957241.tif 000002
【図２】
0003957241.tif 000003
【図３】
0003957241.tif 000004
【図４】
0003957241.tif 000005
【図５】
0003957241.tif 000006
【図６】
0003957241.tif 000007
【図７】
0003957241.tif 000008